(57)【特許請求の範囲】
【請求項１】
複数ページ分の画像情報に基づいて並列に個々の記録紙に画像を形成する白黒画像用及びカラー画像用の画像形成手段と、
２つの前記画像形成手段に入力される前記画像情報に関して、一方の前記画像形成手段で形成される第１の画像ページに対する他方の画像形成手段で形成される第２の画像ページの綴じ込み位置を指定する指定手段と、
前記指定手段によって指定された前記第１の画像ページに対する第２の画像ページの綴じ込み位置及び２つの前記画像形成手段の処理時間に基づいて、一方の前記画像形成手段で形成される第１の画像ページの画像形成開始タイミングに対する他方の前記画像形成手段で形成される第２の画像ページの画像形成開始タイミングを演算する制御手段と、
前記制御手段により演算された一方の前記画像形成手段で形成される第１の画像ページの画像形成開始タイミングに対する他方の前記画像形成手段で形成される第２の画像ページの画像形成開始タイミングに基づいて二つの画像形成手段の各々で画像形成され、当該画像形成手段から出力される画像形成後の二以上の前記記録紙を一箇所に集めて綴じ処理を施す後処理手段とを備えたことを特徴とする複合記録装置。
【請求項２】
前記画像形成後の二以上の記録紙に関して綴じ処理の内容を前記後処理手段に指定する指定手段が設けられることを特徴とする請求項１に記載の複合記録装置。
【請求項３】
前記後処理手段は、
前記指定手段により指定された前記綴じ処理の内容に基づいて前記画像形成後の二以上の記録紙をまとめた後に一端を綴じるように綴じ処理を施すことを特徴とする請求項２に記載の複合記録装置。
【請求項４】
前記後処理手段は、
前記指定手段により指定された前記綴じ処理の内容に基づいて前記画像形成後の二以上の記録紙をまとめた後に表紙を取り付け、その後、綴じ処理を施すことを特徴とする請求項２に記載の複合記録装置。
【請求項５】
前記後処理手段は、
前記指定手段により指定された前記綴じ処理の内容に基づいて前記画像形成後の二以上の記録紙をまとめた後に表紙及び背表紙を取り付け、その後、綴じ処理を施すことを特徴とする請求項２に記載の複合記録装置。
【請求項６】
前記後処理手段は、
前記指定手段により指定された前記綴じ処理の内容に基づいて前記画像形成後の二以上の記録紙を読み開き型に折り込んでまとめ、その後、綴じ処理を施すことを特徴とする請求項２に記載の複合記録装置。
【請求項７】
前記後処理手段は、
前記指定手段により指定された前記綴じ処理の内容に基づいて読み開き型に折り込んでまとめた記録紙に表紙を取り付け、その後、綴じ処理を施すことを特徴とする請求項２に記載の複合記録装置。
【請求項８】
前記後処理手段は、
前記指定手段により指定された前記綴じ処理の内容に基づいて読み開き型に折り込んでまとめた記録紙に表紙及び背表紙を取り付け、その後、綴じ処理を施すことを特徴とする請求項２に記載の複合記録装置。
【請求項９】
所定の原稿から画像を読み取って前記画像情報を取得する原稿読取手段が設けられることを特徴とする請求項１に記載の複合記録装置。
【請求項１０】
相手装置からの原稿画像を受信して前記画像情報を取得するファクシミリ手段が設けられることを特徴とする請求項１に記載の複合記録装置。
【請求項１１】
外部のコンピユータから原稿画像を受信して前記画像情報を取得するインターフェース手段が設けられることを特徴とする請求項１に記載の複合記録装置。
【請求項１２】
複数ページ分の前記白黒画像用及びカラー画像用のの画像情報が混在して与えられる場合であって、
前記画像情報から白黒画像用の画像情報とカラー画像用の画像情報とを分離する画像分離手段が設けられることを特徴とする請求項１に記載の複合記録装置。
【請求項１３】
前記白黒画像用の画像情報及びカラー画像用の画像情報を記憶する記憶手段が設けられ、
複数ページ分の画像情報に白黒画像用及びカラー画像用の画像情報が混在される場合であって、
予め指定された前記綴じ込み位置及び、演算された一方の前記画像形成手段で形成される第１の画像ページの画像形成開始タイミングに対する他方の前記画像形成手段で形成される第２の画像ページの画像形成開始タイミングに基づいて前記白黒画像用の画像情報及びカラー画像用の画像情報の読み出し順序を編集するように前記記憶手段を制御する制御手段が設けられることを特徴とする請求項１２に記載の複合記録装置。
【請求項１４】
前記記憶手段を読み出し制御する制御手段が設けられ、
前記編集された白黒画像用の画像情報及びカラー画像用の画像情報の読み出しタイミングで当該白黒画像用の画像情報及びカラー画像用の画像情報を各々の画像形成手段に転送するようになされたことを特徴とする請求項１２に記載の複合記録装置。
【請求項１５】
各々の前記画像形成手段に対して個々独立に記録用紙を供給する個別型の用紙供給手段が設けられることを特徴とする請求項１に記載の複合記録装置。
【請求項１６】
各々の前記画像形成手段に記録用紙を分配して供給する共用型の用紙供給手段が設けられことを特徴とする請求項１に記載の複合記録装置。
【請求項１７】
前記共用型の用紙供給手段が設けられる場合であって、
前記用紙供給手段から各々の前記画像形成手段へ供給される記録用紙の搬送路を切り換える搬送路切換手段が設けられることを特徴とする請求項１６に記載の複合記録装置。
【請求項１８】
前記画像形成手段から各々排紙された画像形成後の記録紙を前記後処理手段に集合するように導く搬送手段と、
前記後処理手段で綴じ処理された記録物を排出する排出トレイとが設けられることを特徴とする請求項１に記載の複合記録装置。
【請求項１９】
白黒画像用及びカラー画像用の画像形成系を使用して複数ページ分の画像情報に基づき並列に個々の記録紙に画像を形成し、その後、所望の綴じ処理をする複合記録処理方法において、
２つの前記画像形成系に入力される前記画像情報に関して、一方の前記画像形成系で形成される第１の画像ページに対する他方の前記画像形成系で形成される第２の画像ページの綴じ込み位置を指定し、
指定された前記第１の画像ページに対する第２の画像ページの綴じ込み位置及び前記画像形成系の処理時間に応じて、一方の前記画像形成系で形成される第１の画像ページの画像形成開始タイミングに対する他方の前記画像形成系で形成される第２の画像ページの画像形成開始タイミングを演算し、
演算された一方の前記画像形成系で形成される第１の画像ページの画像形成開始タイミングに対する他方の前記画像形成系で形成される第２の画像ページの画像形成開始タイミングに基づいて二つの前記画像形成系で並列に個々の記録紙に画像を形成し、
画像形成された後の二以上の前記記録紙を一箇所に集めて綴じ処理を施すことを特徴とする複合記録処理方法。
【発明の詳細な説明】
【０００１】
【発明の属する技術分野】
この発明は、ファクシミリ機能、複写機能及びプリンタ機能を備えた複合機等に適用して好適な複合記録装置及び複合記録処理方法に関するものである。
【０００２】
【従来の技術】
近年、画像形成処理技術の発展に伴い、記録紙に白黒画像を形成する電子写真方式の記録装置や、記録紙にカラー画像を形成するインクジェット方式の記録装置が販売されるに至っている。また、画像形成後の記録紙に表紙や、背表紙を取り付けたり、又は、仕切り用紙を挿入する後処理機能を備えた画像形成装置も使用されている。
【０００３】
ところで、ユーザの使用要求から、白黒の原稿とカラーの原稿とが入り交じった複合原稿から１つの小冊子などの複写物を作成することができないかという要望がある。この種の要求に対して技術文献である特開平１０−８１４号の公開特許公報には、電子写真方式の記録装置とインクジェット方式の記録装置とを備えた複合記録装置が開示されている。
【０００４】
この複合記録装置によれば、電子写真方式の記録装置により白黒画像が形成された記録紙と、インクジェット方式の記録装置によりカラー画像が形成された記録とが別々の排紙トレイに排出するようになされている。従って、ユーザは各々の排紙トレイに排紙された白黒画像記録紙と、カラー画像記録紙とを所定の順番に並べ換え、必要に応じて表紙や背表紙を取り付けた後に、その記録物の一端を綴じることにより、白黒の原稿とカラーの原稿とが入り交じった複合原稿から１つの小冊子などを作成することができる。
【０００５】
【発明が解決しようとする課題】
しかしながら、従来方式の複合記録装置によれば、白黒の原稿とカラーの原稿とが入り交じった複合原稿から１つの小冊子などを作成する場合などにおいて、電子写真方式の記録装置から排紙トレイに白黒画像記録紙を排出するタイミングと、インクジェット方式の記録装置から排紙トレイにカラー画像記録紙を排紙するタイミングとが揃っていないので、ユーザは各々の排紙トレイに排紙された白黒画像記録紙と、カラー画像記録紙とを所定の順番に並べ換えなくてはならない。
【０００６】
例えば、インクジェット方式の記録装置と後処理機能付きの電子写真方式の記録装置とを単に組み合わせて使用する場合に、白黒画像記録紙の排出タイミングと、カラー画像記録紙の排紙タイミングとが揃わないことから、ユーザは、まず、各々の排紙トレイに排紙されたカラー画像記録紙と、後処理がなされないままの白黒画像記録紙とを所定の順番に並べ換えざるを得ない。その後、再度、その記録物を後処理装置にセットしなくてはならない。従って、ユーザに対する記録紙の並べ換え及び後処理装置へのセット処理が煩雑になるという問題がある。
【０００７】
そこで、この発明は上述した課題を解決したものであって、白黒の原稿とカラーの原稿とが入り交じった複合原稿から１つの小冊子などを作成する場合などにおいて、白黒画像が形成された記録紙とカラー画像が形成された記録紙とを予め指定した順番通りに、かつ、高速に製本できるようにした複合記録装置及び複合記録処理方法を提供することを目的とする。
【０００８】
【課題を解決するための手段】
上記課題を解決するために、本発明に係る複合記録装置は、複数ページ分の画像情報に基づいて並列に個々の記録紙に画像を形成する白黒画像用及びカラー画像用の画像形成手段と、２つの画像形成手段に入力される画像情報に関して、一方の画像形成手段で形成される第１の画像ページに対する他方の画像形成手段で形成される第２の画像ページの綴じ込み位置を指定する指定手段と、この指定手段によって指定された第１の画像ページに対する第２の画像ページの綴じ込み位置及び２つの画像形成手段の処理時間に基づいて、一方の画像形成手段で形成される第１の画像ページの画像形成開始タイミングに対する他方の画像形成手段で形成される第２の画像ページの画像形成開始タイミングを演算する制御手段と、この制御手段により演算された一方の画像形成手段で形成される第１の画像ページの画像形成開始タイミングに対する他方の画像形成手段で形成される第２の画像ページの画像形成開始タイミングに基づいて二つの画像形成手段の各々で画像形成され、当該画像形成手段から出力される画像形成後の二以上の記録紙を一箇所に集めて綴じ処理を施す後処理手段とを備えたことを特徴とするものである。
【０００９】
本発明に係る第１及び第２の複合記録装置によれば、任意の画像情報に基づいて二以上の画像形成手段により個々の記録紙に並列に画像が形成処理される。ここで画像形成処理された後の二以上の記録紙は、後処理手段で一箇所に集められ、例えば、画像形成後の二以上の記録紙を予め指定した順序に高速にまとめ上げられたり、これらの記録紙をまとめた後に一端が綴じられたり、綴じ上がった記録紙に表紙や背表紙が取り付けられたり、また、画像形成後の二以上の記録紙を読み開き型に折り込んでまとめられたり、これらの読み開き型の記録紙の一端が綴じられた後に、表紙や背表紙が取り付けられる。
【００１０】
従って、白黒の原稿とカラーの原稿とが入り交じった複合原稿から１つの小冊子などを作成する場合などにおいて、白黒画像が形成された記録紙とカラー画像が形成された記録紙とを予め指定した順番通りに、かつ、高速に製本等することができる。
【００１１】
本発明に係る複合記録処理方法は、白黒画像用及びカラー画像用の画像形成系を使用して複数ページ分の画像情報に基づき並列に個々の記録紙に画像を形成し、その後、所望の綴じ処理をする複合記録処理方法において、２つの画像形成系に入力される画像情報に関して、一方の画像形成系で形成される第１の画像ページに対する他方の画像形成系で形成される第２の画像ページの綴じ込み位置を指定し、ここに指定された第１の画像ページに対する第２の画像ページの綴じ込み位置及び画像形成系の処理時間に応じて、一方の画像形成系で形成される第１の画像ページの画像形成開始タイミングに対する他方の画像形成系で形成される第２の画像ページの画像形成開始タイミングを演算し、ここで演算された一方の画像形成系で形成される第１の画像ページの画像形成開始タイミングに対する他方の画像形成系で形成される第２の画像ページの画像形成開始タイミングに基づいて二つの画像形成系で並列に個々の記録紙に画像を形成し、画像形成された後の二以上の記録紙を一箇所に集めて綴じ処理を施すことを特徴とするものである。
【００１２】
本発明に係る第１及び第２の複合記録方法によれば、白黒の原稿とカラーの原稿とが入り交じった複合原稿から１つの小冊子などを作成する場合などにおいて、白黒画像が形成された記録紙とカラー画像が形成された記録紙とを予め指定した順番通りに、かつ、高速に製本することができる。
【００１３】
【発明の実施の形態】
以下、図面を参照しながら、この発明に係る複合記録装置及び複合記録処理方法について説明をする。
（１）実施形態としての複合記録装置及び複合記録処理方法
図１は、本発明の実施形態としての複合記録装置１００の構成例を示すブロック図である。
本実施の形態では、複数の画像形成手段の後段に後処理手段を設け、画像形成後の二以上の記録紙を一箇所に集めて加工処理を施すようにして、白黒の原稿とカラーの原稿とが入り交じった複合原稿から１つの小冊子などを作成する場合などにおいて、白黒画像が形成された記録紙とカラー画像が形成された記録紙とを予め指定した順番通りに、かつ、高速に製本できるようにしたものである。
【００１４】
図１に示す複合記録装置１００には白黒の原稿とカラーの原稿とが入り交じった複合原稿から１つの小冊子などを作成するために、記憶手段として画像メモリ１が設けられる。この画像メモリ１にはＤＲＡＭ（記憶保持動作が必要な随時書き込み読み出しメモリ）などが使用され、そのメモリ領域はコピー領域、ＦＡＸ領域、プリンタ領域、白黒画像用の編集領域及びカラー画像用の編集領域などに分割されている。
【００１５】
画像メモリ１には原稿読取り手段２が接続され、任意の原稿を読み取って得た白黒又はカラーの原稿画像データＤ１がコピー領域に一時記憶される。また、画像メモリ１にはファクシミリ手段３が接続され、相手装置から送られてきた受信画像データＤ２がＦＡＸ領域に一時記憶される。更に、画像メモリ１にはインターフェース手段４が接続され、外部のコンピュータで加工された白黒又はカラーの加工画像データＤ３がプリンタ領域に一時記録される（画像情報源）。
【００１６】
この画像メモリ１には画像分離手段（分離手段）５が接続され、複数ページ分の画像情報源が与えられる場合であって、その画像情報源から白黒用の画像情報ページとカラー用の画像情報ページとが分離される。分離方法は、例えば、ＪＰＥＧ方式あるいはＭＰＥＧ方式といった圧縮画像情報の場合には、各ページ毎のデータ列のヘッダ情報として書き込まれた、白黒用画像を示す識別フラグや、カラー画像用を示す識別フラグを識別することにより行う。これは小冊子を作成するとき、白黒画像ページは白黒画像だけの画像データでまとめ、カラー画像ページはカラー画像データだけでまとめるためである。
【００１７】
この画像メモリ１の出力段にはｎ個の画像形成手段＃ｉ（ｉ＝１〜ｎが）設けられ、上述の画像情報源による任意の画像情報に基づいて個々の記録紙Ｒに並列に画像が形成処理される。各々の画像形成手段＃ｉでは、上述した原稿読取り手段２による白黒画像又はカラー画像、ファクシミリ手段３による受信画像、又は、インターフェース手段４による白黒又はカラーの加工画像が記録紙Ｒに形成される。この例では、少なくとも、画像形成手段＃１でカラー用の画像情報に基づいて他の記録紙Ｒにカラー画像が形成され、画像形成手段＃２で白黒用の画像情報に基づいて記録紙Ｒに白黒画像が形成される。この例で画像形成手段＃１にはインクジェット方式の記録装置が使用され、画像形成手段＃２には電子写真方式の記録装置が使用される。
【００１８】
更に、各々の画像形成手段＃ｉに対して共用型の用紙供給手段６が設けられ、各々の画像形成手段＃ｉに記録用紙が分配して供給される。記録用紙には普通紙などが用いられる。この例では、共用型の用紙供給手段６の下流側には搬送路切換手段７が設けられ、用紙供給手段６から各々の画像形成手段＃ｉへ供給される記録用紙の搬送路が切り換えられる。
【００１９】
この搬送路切換手段７では画像形成手段＃１に記録用紙を供給するときは、画像形成手段＃１と用紙供給手段６との間に搬送路が接続され、画像形成手段＃２に記録用紙を供給するときは、画像形成手段＃２と用紙供給手段６との間に搬送路が接続される。
【００２０】
もちろん、各々の画像形成手段＃ｉに対して個別型の用紙供給手段６’を設け、個々独立に記録用紙を供給するようにしてもよい。例えば、用紙供給手段６’から画像形成手段＃１（インクジェット方式の記録装置）へ普通紙の代わりにインクジェットの専用の転写紙を供給するようにしてもよい。
【００２１】
これらの画像形成手段＃ｉの下流側には後処理手段１０が設けられ、各々の画像形成手段＃ｉから出力される画像形成後の二以上の記録紙Ｒを一箇所に集めて所望の加工処理が施される。この後処理手段１０は搬送手段８と加工処理部９とを有している。搬送手段８では画像形成手段＃ｉから各々排紙された画像形成後の記録紙Ｒが加工処理部９に集合するように導かれる。
【００２２】
この例で搬送手段８には待機部８Ａが設けられ、白黒画像が形成された記録紙Ｒを一時待機するようになされる。これは白黒画像形成処理がカラー画像形成処理に比べて速いことから、白黒画像が形成された記録紙Ｒとカラー画像が形成された記録紙Ｒの進捗状況を揃えるためである。この待機部８Ａには、図示しない位置センサなどが設けられ、記録紙Ｒが全部揃ったか否かが検出され、その検出結果を示す位置検出信号が制御手段などに出力される。
【００２３】
この搬送手段８の下流側に設けられた加工処理部９では、画像形成後の二以上の記録紙Ｒをまとめた後に一端を綴じるようになされたり、その記録紙Ｒをまとめた後に表紙を取り付けるようになされたり、又は、その記録紙Ｒをまとめた後に表紙及び背表紙を取り付けるようになされる。
【００２４】
更に、この例では加工処理部９によって、画像形成後の二以上の記録紙Ｒを読み開き型に折り込んでまとめたり、その読み開き型の記録紙Ｒに表紙を取り付けたり、又は、その読み開き型の記録紙Ｒに表紙及び背表紙を取り付けるようになされる。この加工処理部９の下流側には排出トレイ１１が設けられ、加工処理された記録物を排出するようになされる。
【００２５】
この例では、上述の原稿読取り手段２、ファクシミリ手段３、インターフェース手段４、後処理手段１０には指定手段２０が接続され、画像形成後の二以上の記録紙Ｒを所望の順序にまとめるようにユーザによって指定される。例えば、画像形成後の二以上の記録紙Ｒに関して、その記録紙Ｒの一端綴じ、その記録紙Ｒの表紙付け、その記録紙Ｒの表紙及び背表紙付けなどの加工処理の内容を指定手段２０を使用して設定するようになされる。もちろん、記録紙Ｒの読み開き型折り込み指示もなされる。
【００２６】
この指定手段２０と画像メモリ１との間には制御装置（制御手段）１３が接続され、指定手段２０により指定された内容に基づいて、白黒画像の形成処理とカラー画像の形成処理とを調停するように各々の画像形成手段＃ｉが制御される。調停の内容は以下の通りである。まず、制御装置１９は予め指定された所望の順序に基づいて白黒画像用の画像情報及びカラー画像用の画像情報を編集するように画像メモリ１を制御する。例えば、複数ページ分の画像情報に白黒画像ページ及びカラー画像ページが混在される場合であって、その白黒画像ページに対するカラー画像ページの綴じ込み位置を認識すると、その白黒画像ページの画像形成開始時刻に対するカラー画像ページの画像形成開始時刻を演算するようになされる。この演算は画像メモリ１で編集された白黒画像用の画像情報に対してカラー画像用の画像情報の読み出しタイミングを揃えるためである。
【００２７】
この白黒画像ページの画像形成開始時刻に対するカラー画像ページの画像形成開始時刻に従って、制御装置１９は画像メモリ１で編集された白黒画像用の画像情報及びカラー画像用の画像情報を所定のタイミングで各々の画像形成手段＃ｉに転送するように画像メモリ１を読み出し制御する。これにより、白黒の原稿とカラーの原稿とが入り交じった複合原稿から１つの小冊子などを作成する場合などにおいて、予め指定した順番通りに、白黒画像を記録紙Ｒに形成し、かつ、カラー画像を他の記録紙Ｒに並列に形成するように制御することができる。
【００２８】
続いて、本実施形態に係る複合記録処理方法に関して複合記録装置１００における処理例について説明をする。図２及び図３は複合記録装置１００における記録処理例（その１、２）を示すフローチャートである。
【００２９】
この例では、画像情報源の任意の画像情報に基づいて個々の記録紙Ｒに並列に画像を形成し、そこで並列に画像形成された後の二以上の記録紙Ｒを一箇所に集めて所望の加工処理を施し、予め指定された順序で製本する場合を想定する。また、予め指定手段２０を使用して、記録紙Ｒの一端綴じ、その記録紙Ｒの表紙付け、その記録紙Ｒの表紙又は背表紙付けなどの加工処理の内容が指定されていることを前提とする。
【００３０】
これらを前提にして、図２に示すフローチャートのステップＡ１で指定手段２０から制御装置１９へ各種ジョブが入力される。この際のジョブの内容は原稿読取り手段２による白黒画像又はカラー画像、ファクシミリ手段３による受信画像、あるいは、インターフェース手段４による白黒又はカラーの加工画像を用いて「小冊子を作成する」旨の指示である。もちろん、複数ページ分の画像情報に白黒画像ページ及びカラー画像ページが混在される場合であって、その白黒画像に対するカラー画像の挿入位置や、白紙の挿入位置あるいは表紙、背表紙の取り付け有無が指示される。この指示に従って、画像メモリ１には画像情報源からの原稿画像データＤ１、受信画像データＤ２又は加工画像データＤ３が一時記録される。
【００３１】
その後、ステップＡ２で画像分離手段５によって画像情報源から白黒画像のページとカラー画像のページとが分離される。そして、ステップＡ３で白黒画像ページは白黒画像ページの画像情報でまとめられ、カラー画像のページはカラー画像のページの画像情報でまとめる編集処理がなされる。
【００３２】
その後、ステップＡ４で並列画像形成処理を実行すべく、カラー用の画像データはインクジェット方式の画像形成手段＃１に出力され、白黒用の画像データは例えば電子写真方式の画像形成手段＃２に出力される。各画像形成手段＃ｉでは、カラー用の画像データに基づいてインクジェット方式によりカラー画像が記録紙Ｒに形成され、白黒用の画像データに基づいて電子写真方式により白黒画像が記録紙Ｒに形成される。
【００３３】
この際に、白黒画像形成処理はカラー画像形成処理に比べて速いことから、待機部８Ａによって白黒画像が形成された記録紙Ｒが一時待機される。これは白黒画像が形成された記録紙Ｒとカラー画像が形成された記録紙Ｒの進捗状況を揃えるためである。その後、ステップＡ５で白黒画像が形成された記録紙Ｒとカラー画像が形成された記録紙Ｒとが全部揃ったかを判別する。この際の判別に関しては、図示しない位置センサなどによって、記録紙Ｒが全部揃ったか否かが検出され、その検出結果を示す位置検出信号が制御装置１９に出力されることから認識される。
【００３４】
従って、白黒画像に係る記録紙Ｒとカラー画像に係る記録紙Ｒとが全部揃っていない場合は、全部の記録紙Ｒが揃うまで待機する。そして、両方の記録紙Ｒが全部揃ったら、ステップＡ６で記録紙Ｒの一端綴じか、読み開き型が指定されているかを判別する。記録紙Ｒの一端綴じが指定されていると判断した場合には、ステップＡ７に移行してステープル処理がなされる。このステープル処理では、画像形成後の二以上の記録紙Ｒをまとめた後に二股綴じ具（ステープル）で一端が綴じられる。
【００３５】
また、ステップＡ６で読み開き型が指定されている場合には、ステップＡ８に移行して画像形成後の記録紙Ｒが２つに折り込み処理される。その後、ステップＡ９に移行してその記録物のこば面に糊付け処理がなされる。これらの処理によって、画像形成後の二以上の記録紙Ｒを読み開き型に折り込んでまとめることができる。
【００３６】
上述のステープル処理などが終了すると、ステップＡ１０に移行して表紙を付けるか否かが判別される。表紙を付ける場合にはステップＡ１１に移行して記録紙Ｒの第１ページの表面に表紙が取り付けられる。この処理では、画像形成後の二以上の記録紙Ｒをまとめた記録物の表面側に表紙が取り付けられる。ステップＡ６で読み開き型に折り込みが指定されている場合には、ステップＡ１１で読み開き型に折り込んでまとめた記録物に表紙が取り付けられる。
【００３７】
このように表紙取り付けステップを一端綴じ処理などの後で行うようにしたのは、表紙が記録紙Ｒに比べて厚い場合に、表紙は記録紙Ｒに独立して形成した方が良い場合があるからである。もちろん、表紙が薄い場合には、表紙の判断ステップをステップＡ６の記録紙Ｒの一端綴じか、読み開き型の指定ステップの直後に行い、記録紙Ｒと表紙とを同時にステープル処理を行うようにしてもよい。
【００３８】
その後、ステップＡ１２に移行して背表紙を付けるか否かが判別される。背表紙を付ける場合にはステップＡ１３に移行して記録紙Ｒの最終ページの裏面に表紙が取り付けられる。この処理では、画像形成後の二以上の記録紙Ｒをまとめた最終ページの裏面側に背表紙が取り付けられる。従って、画像形成後の記録物に表紙及び背表紙を取り付けることができる。
【００３９】
ステップＡ６で読み開き型の折り込みが指定されていた場合には、ステップＡ１３で読み開き型に折り込んでまとめた記録紙Ｒに最終ページの裏面に背表紙が取り付けられる。従って、読み開き型の記録物に表紙及び背表紙を取り付けることができる。上述のステップＡ１０で表紙を付けない場合及びステップＡ１３の背表紙取り付け処理が終了した場合には、ステップＡ１４に移行して記録物が排紙トレイ１１から排出される。
【００４０】
このように、本実施形態に係る複合記録装置１００によれば、画像情報源の任意の画像情報に基づいてｎ個の画像形成手段＃ｉにより個々の記録紙Ｒに、ステップＡ４で並列に白黒画像とカラー画像とが形成処理される。ここで画像形成処理された後の二以上の記録紙Ｒは、後処理手段１０で搬送手段８により一箇所に集められ、ステップＡ５で画像形成後の二以上の記録紙Ｒを予め指定した順序に高速にまとめ上げられたり、ステップＡ７でこれらの記録紙Ｒをまとめた後に一端が綴じられたり、綴じ上がった記録紙ＲにステップＡ１１で表紙や背表紙が取り付けられたり、また、画像形成後の二以上の記録紙ＲをステップＡ８で読み開き型に折り込んでまとめられたり、これらの読み開き型の記録紙Ｒの一端がステップＡ９で綴じられた後に、ステップＡ１３で表紙や背表紙が取り付けられる。
【００４１】
従って、白黒の原稿とカラーの原稿とが入り交じった複合原稿から１つの小冊子などを作成する場合などにおいて、白黒画像が形成された記録紙Ｒとカラー画像が形成された記録紙Ｒとを予め指定した順番通りに、かつ、高速に製本等することができる。
【００４２】
（２）第１の実施例
図４は第１の実施例としての複合機２００の構成例を示す概念図である。図５はその複合機２００における画像情報、白黒画像記録紙及びカラー画像記録紙のフロー例を示す概念図である。
図４に示す複合機２００は上述した共用型の用紙供給手段６から成る給紙ユニット２０１と、インクジェット方式のカラー画像の記録装置＃１及び電子写真方式の白黒画像の記録装置＃２から成る画像形成装置２０２と、後処理手段１０から成るフィニッシャー（ＦＮＳ）２０３によって構成されるものである。
【００４３】
この例では、給紙ユニット２０１から記録装置＃１及び記録装置＃２に個別に記録用紙が供給され、記録装置＃１によって記録用紙にカラー画像が形成され、記録装置＃２によって記録用紙に白黒画像が形成され、その後、フィニッシャー２０３によって記録装置＃１によるカラー画像記録紙Ｒと、記録装置＃２による白黒画像記録紙Ｒとが小冊子に製本されるものである。
【００４４】
この例の画像情報源としては上述した原稿読取り手段２からの原稿画像データＤ１、ファクシミリ手段３による受信画像データＤ２及びインターフェース手段４による加工画像データＤ３である。これらの画像データＤ１〜Ｄ３は画像メモリ１で編集される。編集後のカラー用の画像データＤ４はインクジェット方式の記録装置＃１に供給され、同様にして編集後の白黒用の画像データＤ５は電子写真方式の記録装置＃２に供給される。記録装置＃１によってカラー画像形成された外部コンピュータなどの加工画像記録紙Ｒと、記録装置＃２によって白黒画像形成された原稿記録紙Ｒやファックス原稿記録紙Ｒなどがフィニッシャー２０３によって１つにまとめられて小冊子などに製本される。
【００４５】
図６は第１の実施例としての複合機２００の内部構成例を示す概念図である。図６に示す複合機２００は給紙ユニット２０１、画像形成装置２０２及びフィニッシャー２０３から構成される。画像形成装置２０２は、画像読取り手段２、画像処理手段１２、画像書き込み手段１３、インクジェット方式の記録装置＃１、電子写真方式の記録装置＃２、第１給紙手段１５、第２給紙手段１６、定着手段１７、搬送手段１８、制御装置１９及び通信手段２１０等を備えている。
【００４６】
第１給紙手段１５は、カセット給紙部１５Ａと大容量給紙部（ＬＣＴ）１５Ｂ、１５Ｃ又は図示しない手差し給紙部で構成される。第２給紙手段１６はレジストローラＰ６を有している。搬送手段１８は、搬送ベルト１８Ａ、搬送路切換板１８Ｂ、排紙ローラＰ７、自動両面画像形成用の搬送部（ＡＤＵ）１８Ｄ等を備えている。
【００４７】
記録装置＃１の上部には、画像読取り手段２を構成する自動原稿送り装置（ＡＤＦ）２Ａが搭載されている。画像形成装置２０２の図示の左側面の排紙ローラＰ７側には、フィニッシャー２０３が連結されている。自動原稿送り装置２Ａの原稿台上に載置された原稿は矢印方向に搬送され、画像読取り手段２の光学系により原稿の片面又は両面の画像が読みとられ、ＣＣＤイメージセンサ２Ｂに読み込まれる。ＣＣＤイメージセンサ２Ｂにより光電変換されたアナログ信号は、画像処理手段１２において、アナログ処理、Ａ／Ｄ変換、シェーディング補正、画像圧縮処理等が行われる。その後、カラー用の画像データＤ４はインクジェット方式の記録装置＃１に供給され、白黒用の画像データＤ５は画像書き込み手段１３に送られる。
【００４８】
また、記録装置＃１はドライバ３２Ａ及びイエローＹ、マゼンタＭ、シアンＣ、黒ＢＫ用のインクジェット部３２Ｂを有している。記録装置＃１ではカラー用の画像データＤ４に基づいてＹ、Ｍ、Ｃ、ＢＫのインクが記録紙Ｒに噴射され、カラー画像が形成される。例えば、第１給紙手段１５から送り出された記録紙Ｒは、上流側の搬送ローラ群Ｐ２０を経てＹ、Ｍ、Ｃ、ＢＫのインクジェット部３２Ｂ下に搬送されくると、カラー用の画像データＤ４に基づくドライバ３２Ａによる所定のタイミング及び所定の噴射位置（画像形成位置）でカラー画像が形成される。
【００４９】
このカラー画像が形成された記録紙Ｒは、下流側の搬送ローラ群Ｐ２０により搬送され、排紙ローラＰ７を経てフィニッシャー２０３に送り込まれる。上流側の搬送ローラ群Ｐ２０は搬送ローラＰ２１〜Ｐ２４から成り、下流側の搬送ローラ群Ｐ２０は搬送ローラＰ２５〜Ｐ２７から成る。
【００５０】
また、画像書き込み手段１３においては、半導体レーザからの出力光が記録装置＃２の感光体ドラムに照射され、潜像が形成される。記録装置＃２においては、帯電、露光、現像、転写、分離、クリーニング等の処理が行われる。例えば、第１給紙手段１５から送り出された記録紙Ｒは、レジストローラＰ６を経て、感光体ドラムと転写電極とが対向する転写位置（画像形成位置）で画像形成処理される。この転写により画像が形成された記録紙Ｒは、搬送ベルト１８Ａにより搬送され、定着手段１７により定着処理を受け、フィニッシャー２０３に送り込まれる。両面像形成では搬送路切り替え板１８Ｂにより両面画像形成用の搬送部１８Ｄに送り込まれた片面画像処理済みの記録紙Ｒは再び記録装置＃２に搬送されて転写位置で裏面に画像が形成された後、フィニッシャー２０３に送り込まれる。
【００５１】
図７はフィニッシャー２０３の内部構成例を示す概念図である。図７に示すフィニッシャー２０３には、その上方から用紙収納手段２１、シフト処理部２２、第１積載部２３、加工処理部９であるステープル手段２４、中折り手段２５が、ほぼ縦に配置されている。フィニッシャー２０３の図示左側面には、端綴じ及びシフト処理済みの記録紙Ｒを積載する昇降排紙皿２７と、中綴じ、中析り処理済みの記録紙Ｒを積載する固定排紙皿２８が配置されている。この昇降排紙皿２７と固定排紙皿２８とは排紙トレイ１１を構成する。
【００５２】
この複合機２００における記録紙Ｒ及び表カバー、仕切り又は裏カバーとして使用される用紙Ｋの搬送経路は次のとおりである。白黒又はカラーの画像形成に当たって、画像形成装置２０２で、カセット給紙部１５Ａ、大容量給紙部１５Ｂ、１５Ｃ又は図示しない手差し給紙部のいずれかが選択されると、搬送（給紙）ローラＰｌ、Ｐ２、Ｐ３、Ｐ５のいずれかから記録紙Ｒが記録装置＃１又は記録装置＃２へ給紙される。
【００５３】
もちろん、カラー画像及び白黒画像を並行処理するときは、記録紙Ｒが記録装置＃１及び記録装置＃２へ給紙される。搬送ローラＰ１、Ｐ２、Ｐ３及びＰ５は第１給紙手段１５を構成し、給紙信号により給紙を開始するようになされる。第１給紙手段１５はローラとローラに張架されたベルトで構成され、カセット給紙部１５Ａ、大容量給紙部１５Ｂ、１５Ｃ又は手差し給紙部のいずれかから一枚の記録紙Ｒを分離して記録装置＃１又は記録装置＃２へ搬送するようになされる。
【００５４】
搬送ローラ群Ｐ４は給紙ローラＰ１、Ｐ２、Ｐ３から搬送された記録紙Ｒを記録装置＃１又は記録装置＃２へ搬送するように駆動される。なお、搬送ローラＰ１、Ｐ２、Ｐ３及びＰ５は記録紙Ｒを送り出した後に、その記録紙Ｒの先端が搬送ローラ群Ｐ４の先頭のローラに達したところで、一旦停止させ、搬送ローラ群４により再給紙するように構成することもできる。記録紙ＲはレジストローラＰ６の手前で一旦停止し、記録装置＃２における画像形成と同期して回転するレジストローラＰ６によって再給紙される。搬送ベルト１８Ａ、定着手段１７及び排紙ローラＰ７を経て画像形成装置２０２から排出された記録紙Ｒは、フィニッシャー２０３に誘導される。
【００５５】
フィニッシャー２０３では搬送ローラＰ８、Ｐ９及び合流ローラＰ１１、搬送ローラＰ１２、Ｐ１３を経て、第１積載部２３に記録紙Ｒが搬送される。第１積載部２３で、記録紙Ｒは重力で落下して、ストッパ２４Ａにより下端が揃えられる。表カバー（表紙）、仕切り及び裏カバー（背表紙）として使用される用紙Ｋは、その用紙が積載される皿で構成された用紙収納手段２１に載置されており、用紙給紙手段２１を構成する用紙給紙ローラＰ１５、搬送ローラＰ１０により搬送される。
【００５６】
合流ローラＰ１１によって、搬送手段８に合流させた後、第１積載部２３に搬送されて、ストッパ２４Ａにより、下端が揃えられる。用紙給紙ローラＰ１５は用紙収納手段２１に収納された用紙を一枚に分離して搬送する搬送手段１８であり、捌きローラと一対のローラに張架されたベルトで構成される。
【００５７】
カバー、記録紙Ｒ、仕切り用紙Ｋ、記録紙Ｒ、裏カバーの順に重なって第１積載部２３上に載置された記録物はステープル手段２４により綴じ処理された後に、ストッパ２４Ａにより押し上げられた排紙ローラＰ１６を経て昇降排紙皿２７に排紙される。前記の搬送経路において、搬送ローラＰ８、Ｐ９、合流ローラＰ１１及び搬送ローラＰ１２、用紙給紙ローラＰ１５及び搬送ローラＰ１０は搬送手段８を構成し、ステープル手段２４は加工処理部９を構成し、昇降排紙皿２７又は固定排紙皿２８は排紙トレイ１１を構成し、用紙給紙ローラＰ１５は用紙給紙手段２１をそれぞれ構成する。
【００５８】
図６及び図７に示した複合機２００には８個のセンサＳｊ（ｊ＝１〜８）が取り付けられる。図６及び図７において、ａ１〜ａ４、ｂ〜ｈ、ｊはセンサＳ１１〜Ｓ１４、Ｓ２〜Ｓ８）の取り付け位置を示している。
【００５９】
各々の記録紙Ｒのスタート位置である第１給紙手段起点ａ１には図示しない記録紙検知センサＳ１１が取り付けられ、カセット給紙部１５Ａから繰り出される記録紙Ｒの給紙開始が検出される。同様にして、第１給紙手段起点ａ２にはセンサＳ１２が取り付けられ、大容量給紙部１５Ｂから繰り出される記録紙Ｒの給紙開始が検出され、第１給紙手段起点ａ３にはセンサＳ１３が取り付けられ、大容量給紙部１５Ｃから繰り出される記録紙Ｒの給紙開始が検出される。第１給紙手段起点ａ４にはセンサＳ１４が取り付けられ、不図示の手差し給紙部から挿入される記録紙Ｒの給紙開始が検出される。また、現像器の下に位置する第２給紙手段起点ｂには図示しない記録紙センサＳ２が取り付けられ、第２給紙手段１６（搬送ローラＰ６）による給紙の開始位置が検出される。
【００６０】
更に、フィニッシャー２０３の記録紙搬入口付近の第１搬送手段起点ｃには図示しない記録紙センサＳ３が取り付けられ、搬送手段８に記録紙Ｒの先端が到達した段階で、該先端が検知され、その搬送手段８による記録紙Ｒの搬送が開始される。
【００６１】
用紙収納部２１の前端部付近の用紙有り無し確定点ｄには図示しないセンサＳ４が取り付けられ、用紙給紙ローラ１５により送り出される用紙が検出され、用紙の後端がそこを通過した時点（用紙有り無し確定点）で用紙収納手段２１における用紙の有無が検知される。搬送手段８の搬送ローラＰ１０の直ぐ上流付近の第２搬送手段起点ｅには用紙センサＳ５が取り付けられ、搬送ローラＰ１０による用紙の搬送開始が検出され、詳しくは、再給紙による用紙の搬送開始が検出される。
【００６２】
また、搬送ローラＰ１１の直ぐ上流付近の合流地点ｆには図示しない記録紙センサＳ６が取り付けられ、その合流地点ｆにおける用紙の通過が検出される。ステープル手段２４内の加工処理部位置ｇには図示しない記録紙センサＳ７が取り付けられ、記録紙Ｒ、用紙がステープル手段２４に到達したことが検知される。
【００６３】
なお、固定排紙皿位置（排紙トレイ）ｈには記録紙センサＳ８が取り付けられ、用紙収納手段２１の後端部付近の用紙有無確定点ｊには図示しないセンサＳ９が取り付けられ、用紙給紙ローラＰ１５が用紙の送り出しを開始した時点で、用紙収納手段２１に次の用紙が有るか否かが検出される。
【００６４】
本実施の形態では、次に説明する後処理モードを有している。この例では指定手段２０を構成する画像形成装置２０２の操作部又はフィニッシャー２０３の操作部からの設定により後処理モードを選択することができる。
【００６５】
▲１▼  ノンステープル、ノンソートモード、シフト処理モード
画像形成装置２０２から排出された画像形成済みの記録紙Ｒは、搬送ローラＰ８、Ｐ９及び合流ローラＰ１１により搬送されて、切り替え案内手段２９により案内されてシフト処理手段を経て昇降排紙皿２７に排紙される。シフト処理が設定されている場合には、シフト処理手段が作動して、記録紙Ｒをジョブ毎にシフトして排出する。
【００６６】
▲２▼  ステープルモード
画像形成装置２０２から排出された画像形成済みの記録紙Ｒは搬送ローラＰ８、Ｐ９及び合流ローラＰ１１により搬送されて、切り替え案内手段２９により搬送ローラＰ１３へ案内されて、搬送ローラＰ１２、Ｐ１３により第１積載部２３に搬送される。第１積載部２３上でステープル手段２４により綴じ処理される。綴じ処理された記録紙Ｒはストッパ２４Ａにより押し上げられて排紙ローラＰ１６を経て昇降排紙皿２７に排紙される。画像形成装置２０２またはフィニッシャー２０３の操作部における操作によって、表裏カバー及び仕切り用紙Ｋをつける後処理を行って綴じ処理を行うモードを選択することもできる。
【００６７】
このステープルモードにおいては、画像形成装置２０２から送り込まれ、第１積載部２３に積載される記録紙Ｒの束に用紙収納手段２１から搬送された用紙が表カバー、仕切り或いは裏カバーとして付加される。また、用紙給紙ローラＰ１５と搬送ローラＰ１０により搬送された用紙Ｋは合流ローラＰ１１により搬送手段８に合流され、第１積載部２３に送られる。
【００６８】
▲３▼  中折り、中綴じモード
第１積載部２３に搬送された記録紙Ｒはストッパ２４Ｂの位置まで落下して、ストッパ２４Ｂにより先端が揃えられる。第１積載部２３に複数枚の記録紙Ｒが載置され、ステープル手段２４によりステープル処埋が行われる。この処理後、ストッパ２４Ｂが開いて、記録紙Ｒは第２載置部２３に搬送される。第２載置部２５上でストッパ２５Ｃで所定位置に保持された記録紙Ｒに対して、突き出し手段２５Ａと一対のベルト／ローラからなる中折り手段２５Ｂにより中析り処理が行われる。中折り処理が行われた記録紙Ｒは固定排紙皿２８に排出される。中折りモードにおいても、前記のステープルモードの場合と同様に表裏カバー及び仕切り用紙Ｋを記録紙Ｒに付加する処理を行うことができる。
【００６９】
図８は図６及び図７に示した複合機２００のシステム制御系の構成例を示すブロック図である。図８に示すフィニッシャー２０３は後処理制御手段１０１を有している。後処理制御手段１０１には上述したセンサＳ４を有した第１用紙検知手段１１０が接続され、用紙収納手段２ｌ上の用紙の有無が検知される。同様にして後処理制御手段１０１には紙サイズ検知手段１１１、サイズデータ記憶手段１１２、第２用紙検知手段１１３、第２搬送手段１１４、通信手段１２０、挿入位置入力手段１２１、表示手段１２２、挿入位置記憶手段１２３、第１搬送手段１２４、加工処理部９及び排紙トレイ１１が接続される。
【００７０】
つまり、紙サイズ検知手段１１１は用紙収納手段２１上の用紙のサイズを検知するセンサであり、後に説明する第２用紙検知手段が兼用される。サイズデータ記憶手段１１２ではサイズ検知手段１１１により検知された用紙のサイズが記憶される。
【００７１】
第２用紙検知手段１１３は、用紙収納手段２１の後端部に設けられたセンサＳ９を有している。センサＳ９は記録紙Ｒの先端が搬送ローラＰ１０に達した段階における用紙収納手段２１上の用紙Ｋの先端が搬送ローラＰ１０に達した段階では、送り出された用紙Ｋの後端は検知されない。従って、センサＳ９によって検知される記録紙Ｒは、用紙収納手段２１から送り出されて先行する用紙Ｋの次に続くものである。
【００７２】
第２搬送手段１１４は搬送手段８の一部を構成するものであり、用紙収納手段２１上の用紙を一枚に分離して送り出す用紙給紙手段１１５及び再搬送手１１６を有する。通信手段１２０は画像形成装置２０２の通信手段２１０に接続され、画像形成装置２０２とフィニッシャー２０３との間で通信を行うようになされる。挿入位置入力手段１２１では記録紙Ｒの何枚目に仕切り用紙Ｋを挿入するか、その位置について外部操作により設定される。表示手段１２２では挿入位置入力手段１２１等により設定された挿入位置を表示するものである。挿入位置記憶手段１２３には設定された挿入位置が記憶される。
【００７３】
第１搬送手段１２４は搬送手段８の他の一部を構成するものであり、画像形成装置２０２から搬送された記録紙Ｒを加工処理部９内へ搬送するようになされる。この例で第１搬送手段１２４は、図７に示す搬送ローラＰ８、Ｐ９、Ｐ１２及び合流ローラＰ１３で構成される。
【００７４】
また、加工処理部９は図７におけるステープル手段２４で構成される。加工処理部９としては、図７に示すステープル手段の他に、パンチャー、中折り手段、中綴じ手段等がある。後処理制御手段１０１では前記のフィニッシャー２０３の各機能部と矢印で示すように信号の授受を行ってこれら各部が制御され、画像形成装置２０２との間で通信手段２１０及び通信手段１２０を使用した通信が行われる。
【００７５】
この画像形成装置２０２の通信手段２１０には制御装置１９が接続される。制御装置１９には挿入位置入力手段２１１、挿入位置表示手段２１２、挿入位置記憶手段２１３、モード入力手段２１４、モード表示手段２１５、モード記憶手段２１５、警告表示手段２１７、有無検知手段２２０、サイズ検知手段２２１、サイズデータ記憶手段２２２、第１給紙手段１５、第２給紙手段１６、搬送手段１８及び記録装置＃１、＃２が接続される。
【００７６】
つまり、挿入位置入力手段２１１では記録紙Ｒの何枚目に仕切り用紙Ｋを挿入するか、その位置について外部操作により設定される。表示手段２１２では挿入位置入力手段２１１により設定された挿入位置が表示され、記憶手段２１３にはその挿入位置が記憶される。この例では、フィニッシャー２０３及び画像形成装置２０２の双方から仕切り用紙Ｋの挿入の設定を行うことができる。また、仕切り用紙Ｋの挿入のみでなく、表紙や裏表紙を付けるモード、中折りモード、中綴じモード等を設定する設定部が画像形成装置２０２にも設けられる。
【００７７】
また、モード入力手段２１４では前記のシフトモード、ステープルモード、中折り、中綴じモード、表カバー、仕切り用紙Ｋ、裏カバーを記録紙Ｒに付加するモード等の各種モードの設定や後に説明する表カバー、仕切り用紙Ｋ、裏カバーの用紙サイズの指定、用紙種別の指定等が受け付けられる。更に、モード入力手段２１４はネットワークを介した前記の各種設定をも受け付ける。モード表示手段２１５ではモード入力手段２１４で設定された内容が表示される。この際の設定内容は操作パネルに表示するか機器に表示する。モード記憶手段２１６にはモード入力手段２１４で入力された情報が記憶される。
【００７８】
このように画像形成装置２０２で設定され、記憶された前記の各種のモード情報、仕切り用紙Ｋの挿入位置の情報は画像形成において、通信手段２１０、１２０を通してフィニッシャー２０３に伝送され、後処理制御手段１０１の制御に用いられる。
【００７９】
また、記録紙Ｒの有無検知手段２２０はカセット給紙部１５Ａ、大容量給紙部１５Ｂ、１５Ｃ及び手差し給紙部に設けられた記録紙センサＳ１１〜Ｓ１４を有している。これらの記録紙センサＳ１１〜Ｓ１４では各々の給紙部における記録紙Ｒの有無が検知される。サイズ検知手段２２１では前記の各給紙部に収納されている記録紙Ｒのいずれかのサイズが検知される。サイズデータ記憶手段２２２にはサイズ検知手段２２１により検知された記録紙サイズが記億される。記録紙Ｒを記録装置＃１又は＃２に供給する給紙手段は第１給紙手段１５及び第２給紙手段１６を有する。第１給紙手段１５は、カセット給紙部１５Ａ、大容量給紙部１５Ｂ、１５Ｃ、手差し給紙部のそれぞれに設けられ、これらの給紙部から記録紙Ｒを繰り出して、記録紙Ｒを記録装置＃１又は＃２に供給するようになされる。
【００８０】
第２給紙手段１６は図６に示したレジストローラＰ６で構成され、記録装置＃１又は記録装置＃２における画像形成と同期して記録紙Ｒを記録装置＃１又は記録装置＃２に供給するようになされる。
【００８１】
搬送手段１８では搬送ベルト１８Ａ、定着手段１７、排紙ローラ１８Ｃ等の転写位置を通過した記録紙Ｒが搬送される。記録装置＃１ではＹ、Ｍ、Ｃ、ＢＫのインクジェットにより記録紙Ｒ上にカラー画像が形成される。記録装置＃２では帯電、露光、現像及び転写により記録紙Ｒ上に画像が形成される。警告表示手段２１７では記録紙無し、用紙無し、あるいは指定用紙と検知された用紙の不一致等の場合に警告表示がなされる。なお、かかる警告表示手段２１７をフィニッシャー２０３にも設けることができる。制御装置１９では前記の各機能部と図の矢印で示すような信号の授受を行ってこれらが制御される。
【００８２】
この例では、図８に示したように、フィニッシャー２０３の操作部から記録物に表裏カバーを付加するモードや仕切り用紙Ｋを記録紙Ｒ間に挿入するモードを設定することができ、更に仕切挿入モードにおいて、仕切り用紙Ｋを入れる位置を設定することができる。
【００８３】
次に、記録紙Ｒ及び用紙Ｋの搬送経路について説明する。図９は複合機２００における記録紙Ｒ及び用紙Ｋのフロー例を示すブロック図である。この例では、図９に示す搬送経路で記録紙Ｒ及び用紙Ｋが搬送される。
【００８４】
〈1〉  第１給紙手段１５による搬送
記録紙Ｒは給紙ローラＰ１、Ｐ２、Ｐ３又はＰ５のいずれかが選択されて駆動されると、カセット給紙部１５Ａ、大容量給紙部１５Ｂ、１５Ｃ又は手差し給紙部から搬送手段１８へと搬送される。記録紙Ｒの搬送制御上の基準点である第１給紙手段起点ａは、給紙ローラＰ１、Ｐ２、Ｐ３又はＰ５に対して、給紙開始信号が出力された時間である。
【００８５】
▲２▼  第２給紙手段１６による搬送
第１給紙手段１５により搬送された記録紙ＲはレジストローラＰ６の手前で一旦停止し、例えば、記録装置＃２における画像形成と同期してレジストローラＰ６が作動を開始することによりその記録装置＃２へ搬送される。記録紙Ｒの搬送制御上の基準点となる第２搬送手段起点ｂはレジストローラＰ６の作動開始時間である。
【００８６】
記録装置＃２で定着処理を受けた記録紙Ｒは搬送路切換板１８Ｂにより、ストレート排紙路、反転排紙路又は自動両面画像形成用の搬送部１８Ｄのいずれかに搬送される。ストレート排紙路はフィニッシャー２０３に記録紙Ｒを送り込む搬送経路であり、記録紙Ｒは実線の位置にある搬送路切換板１８Ｂにより案内される。反転排紙路は記録紙Ｒを反転してフィニッシャー２０３に送り込む搬送経路である。例えば、定着器から搬送された記録紙Ｒは、点線の位置に回転した搬送路切換板１８Ｂにより下方に搬送された後に、その記録紙Ｒがスイッチバックされ、搬送路切換板１８Ｂの実線の位置に回転した搬送路切換板１８Ｂにより排紙ローラＰ７に案内される。
【００８７】
この例で、記録紙Ｒの片面に画像を形成する片面モードにおいては、画像が形成された記録紙Ｒは前記反転排紙路を通してフィニッシャー２０３に送り込まれる。両面画像形成においては、片面に画像が形成された記録紙Ｒが、点線の位置にある搬送路切換板１８Ｂにより搬送部１８Ｄに搬送され、記録装置＃２に再給紙される。記録紙Ｒの両面に画像が形成された後には、実線の位置にある搬送路切換板１８Ｂにより案内されて、記録紙Ｒがストレート搬送路を経てフィニッシャー２０３に送り込まれる。
【００８８】
▲３▼  第１搬送手段１２４による搬送
画像が形成された記録紙Ｒが画像形成装置２０２から排出された後、搬送ローラＰ８〜Ｐ１３により第１積載部２３に搬送されるまでの搬送過程である。記録紙Ｒ及び用紙Ｋの搬送制御上の基準点となる第１搬送手段起点ｃは記録紙Ｒの先端がフィニッシャー２０３の記録紙搬入口に設けられた記録紙センサＳ３に達した時間である。
【００８９】
▲４▼  第２搬送手段１１４による搬送
この例で表カバー、裏カバー又は仕切りとして使用される用紙Ｋは、用紙収納手段２１から給紙ローラＰ１５によって給紙され、搬送ローラＰ１０によって合流ローラＰ１１へ搬送される。
【００９０】
▲５▼  後処理
この例で第１積載部２３に搬送された記録紙Ｒ及び用紙Ｋには、ステープル手段２４により、端位置を綴じる一端綴じ処理又は中央部を綴じる中綴じ処理が施される。例えば、記録紙Ｒ及び用紙Ｋが第１積載部２３に達すると、第１積載部２３の左右に設けられた規制板３１が往復運動を行って、その記録紙Ｒ及び用紙Ｋが整合される。第１積載部２３において、記録紙Ｒとカバーと仕切り用紙Ｋからなる１部の記録物が揃った段階でステープル手段２４が作動して、綴じ処理が行われる。
【００９１】
この綴じ処理が終了した記録物は排紙トレイ１１を構成する昇降排紙皿２７又は固定排紙皿２８に排紙される。記録紙Ｒ及び用紙Ｋの後処理装置２４への到達はストッパ２４Ａの近傍位置ｇに設けられた図示しない用紙センサＳ７により検知される。
【００９２】
次に、複合機２００における操作パネル９０の構成例について説明する。図１０は複合機２００における操作パネル９０を示す概念図である。この操作パネル９０は指定手段１２の一例を成すものである。図１０に示す操作パネル９０には、表カバー設定釦９１、裏カバー設定釦９２、インターシート表示部９３、開始／終了釦９４、ＯＫ釦９５、数値入力釦９６、９８及び表示部９７が設けられる。
【００９３】
表カバー設定釦９１は表カバー（表紙）を付けるモードを設定するときに操作され、裏カバー設定釦９２は裏カバーを付けるモードを設定するときに操作される。インターシート表示部９３は仕切り用紙Ｋを入れる際に、インターシートモードが表示される。開始／終了釦９４はインターシートモードを設定開始するとき、又は、その設定終了時に操作される。ＯＫ釦９５はインターシートモードの設定を決定するときに操作される。数値入力釦９６は記録紙Ｒの何枚目の後に仕切り用紙Ｋを挿入するかを示す「枚数」を数字で入力するように操作される。数値入力釦９８は仕切り用紙Ｋの枚数を指定するときに操作される。また、記録紙Ｒを左端位置で綴じるか、右端位置で綴じかを決める場合にも使用される。
【００９４】
続いて、仕切り用紙Ｋを挿入する際のフィニッシャー２０３における設定制御について説明する。図１１はフィニッシャー２０３における表裏カバー及び仕切り用紙Ｋ等の挿入位置の指定例を示すフローチャートである。
【００９５】
この例では、表裏カバー又は仕切り用紙Ｋ等を記録物に取り付ける際に、予め仕切り用紙Ｋの挿入位置を設定することを前提とする。記録紙Ｒは左端位置で綴じられる場合と、右端位置で綴じられる場合とを予めユーザに選択させることを想定する。この例では表示部９７には「左端表紙位置」が点滅するように初期設定されているものとする。
【００９６】
これを前提にして、まず、図１１に示すフローチャートのステップＢ１で開始釦９４又は終了釦９５が押されたか否かが判別される。ここで開始釦９４を押下すると、ステップＢ２に移行して表示部９７において「左端表紙位置」の表示が点滅する。この際に表示部９７には仕切り枚数が表側から順に表示される。初期値として、「１」に対応する表示が点滅される。その後、数値入力釦９６、９８の操作に対応してステップＢ３に移行して表示部９３には仕切り枚数などがデータ表示される。仕切り用紙Ｋは表示部９３で表示される枚数の記録紙Ｒの次に挿入するようになされる。
【００９７】
その後、ステップＢ４で右端表紙位置を示す数値入力釦９８の右釦が押されたか否かを判別する。所定時間待ってみて右釦が押されない場合には、ステップＢ５に移行して左端表紙位置を示す数値入力釦９８の左釦が押されたか否かを判別する。左釦が押された場合にはステップＢ６に移行して左端で記録紙Ｒを綴じるのかを確認する。左端で記録紙Ｒを綴じる場合にはステップＢ７に移行して点滅位置を左側にシフトしたままステップＢ１０に移行する。
【００９８】
なお、ステップＢ４で右釦が押された場合にはステップＢ８に移行して右端で記録紙Ｒを綴じるのかを確認する。右端で記録紙Ｒを綴じる場合にはステップＢ９に移行して点滅位置を右側にシフトした後にステップＢ１０に移行する。
【００９９】
従って、右端でも右端でもない場合及びステップＢ７及びステップＢ９で所定位置をシフトした後は、数値入力釦９８を操作して所望の仕切り用紙Ｋを選択するようになされる。例えば、加算操作であればステップＢ１０に移行して加算処理が行われ、その後、ステップＢ１１で現データがロードされる。そして、数値入力釦９８によって入力された数値が上限値か否かが判断される。上限値の場合にはステップＢ３に戻る。上限値でない場合にはステップＢ１３に移行して現データをインクリメントして新データを保持する。その後、ステップＢ３に戻る。
【０１００】
また、減算操作であればステップＢ１４で減算処理が行われる。その後、ステップＢ１５で現データがロードされる。そして、ステップＢ１６で数値入力釦９８によって入力された数値が下限値か否かが判断される。下限値の場合にはステップＢ３に戻る。下限値でない場合にはステップＢ１７に移行して現データをインクリメントして新データを保持する。その後、ステップＢ３に戻る。
【０１０１】
そして、ステップＢ１８でＯＫ釦９５が押されて決定（確定）されると、ステップＢ１９で点滅位置をストアすべく、表示部９７における挿入位置の表示が挿入位置記憶手段１２３（画像形成装置２０２で設定したときは挿入位置記憶手段２１３）に保持される。
【０１０２】
また、ステップＢ２０で記録紙Ｒに対する仕切り用紙Ｋの挿入データがストアされる。以上のような、仕切り用紙Ｋの挿入位置の登録を繰り返し行うことが可能であり、この例では表示部９７に示すように６枚までの仕切り用紙Ｋの挿入を設定することができる。表カバー、仕切、裏カバーを記録紙Ｒに取り付けるモードの選択及び仕切り用紙Ｋの挿入位置の指定は、前記のように画像形成装置２０２の挿入位置入力手段２１１、挿入位置表示手段２１２等を用いて行うこともできる。
【０１０３】
続いて、仕切り用紙Ｋを挿入する際の画像形成装置２０２における設定例について説明する。図１２は画像形成装置２０２におけるインターシートのモード表示例を示す状態遷移図である。この例でも、表裏カバー又は仕切り用紙Ｋ等を記録物に取り付ける際に、予め仕切り用紙Ｋの挿入位置を設定するようになされる。
【０１０４】
図１２に示す表示設定部４０は図８に示したモード表示手段２１５を一部を成すものであり、画像形成装置２０２に設けられ、挿入位置入力手段２１１と挿入位置表示手段２１２の機能を併せ持つタッチパネルで構成される。
【０１０５】
このタッチパネル上には例えば基本画面Ｇ１と共に応用機器選択用のタグＡＰＰが表示される。このタグＡＰＰを選択してタッチすると、図１２の基本画面Ｇ１から応用画面Ｇ２に表示が切り替わる。これと共に、応用画面Ｇ２の下部にはインターシート設定用のタグＴＳＴが表示される。この例では記録紙Ｒの間に仕切り用紙Ｋを挿入する場合には、インターシート設定用のタグＴＳＴを選択するようになされる。なお、仕切挿入モードの場合の挿入位置の指定に関しては、図示しないテンキーから入力される。
【０１０６】
図１３は表示設定部４０におけるインターシートのモード表示例を示すイメージ図である。この例でも、表示設定部４０には表紙モード設定釦４１、裏表紙モード設定釦４２及び仕切挿入モード設定釦４３が設けられ、これらの釦４１〜４３を操作することにより、表表紙をつけるモード、裏表紙をつけるモード、仕切り用紙Ｋを挿入するモードを選択するようになされる。
【０１０７】
続いて、複合機１００の動作例について説明する。図１４は図６〜図８に示した複合機２０の各構成部の動作タイムチャートである。この例では白黒画像のみの記録紙Ｒを小冊子に綴じる例に挙げる。例えば、２枚目の記録紙Ｒ２と３枚目の記録紙Ｒ３の間に仕切り用紙Ｃｌを挿入し、表カバーＦＣ１と裏カバーＵＣ１でカバーした記録物を２部作成する場合を想定する。なお、白黒画像の記録紙Ｒとカラー画像の記録紙Ｒとを混在した小冊子に作成する場合には、実施形態で述べたように、カラー画像の開始時間と挿入時間を演算して、所望の挿入位置にカラー画像による記録新Ｒを挿入すればよい。
【０１０８】
図１４の横軸は時間を示し、縦軸は記録紙Ｒ及び用紙（しきり紙及び裏カバー）の搬送経路上の位置、或いは搬送行程における段階を示しており、上が上流側を、下が下流側をそれぞれ示している。Ｒ１〜Ｒ３は搬送される記録紙Ｒを示し、ＦＣ１、ＦＣ２、ＭＣ１、ＵＣ１はそれぞれ表カバー、仕切り用紙Ｋ、裏カバーを示す。
【０１０９】
また、縦軸方向の実線の矢印は信号の伝達を示し、横軸方向の点線の矢印は時間間隔を示す。１枚目の記録紙Ｒ１が時間ｔａ１で第１給紙手段起点ａをスタートし、時間ｔｂ１で第２給紙手段に達する。第２給紙手段起点ｂで一定時間停止して、記録紙Ｒの先端が整えられる。そして、画像形成と同期して、記録紙Ｒ１は第２給紙手段起点ｂをスタートし、画像形成装置２０２内で記録装置＃２による画像記録処理を受けて、その記録装置＃２から排出されて、フィニッシャー２０３内の第１搬送手段起点ｃ、合流地点ｆを経て加工処理部位置ｇに達する。
【０１１０】
加工処理部位置ｇにおいて、時間ｔｇ１から時間間隔Ｌ７の間で記録紙Ｒ１の幅方向に側縁規制板３１（図７参照）が往復移動する整合処理が行われて記録紙Ｒが所定の場所に位置づけられる。記録紙Ｒは加工処理部位置ｇにおいて停止し、次の処理を待つ態勢となる。
【０１１１】
また、記録紙Ｒ１の第１給紙手段起点からのスタート信号を受けてほぼ同時に表カバーＦＣ１が第２搬送手段起点ｅをスタートする。表カバーＦＣ１は記録紙Ｒ１が加工処理部位置ｇに到達する時間ｔｇ２の前の時間ｔｇ１に加工処理部位置ｇに到達し、前記の整合処理を受けて、加工処理部位置ｇに停止している。従って、第１積載部２３においては、表カバーＦＣ１の上に記録紙Ｒ１が積載されることになる。
【０１１２】
以下同様にして、記録紙Ｒ２、仕切り用紙Ｃ１、記録紙Ｒ３、裏カバーＵＣ１がこの順番で第１積載部２３上に積載されて、１部の記録物が第１積載部２３上に集積される。時間Ｌ７の整合処理の後に、時間Ｌ８でステープル処理が行われて、ステープルされた記録物は第１積載部２３から昇降排紙皿２７に排出される。
【０１１３】
なお、表カバーＦＣ１の搬送過程において、時間ｔｄ１において、用紙収納手段２１に用紙があるか否かが検知されて、用紙がある場合には、用紙の次の記録紙Ｒの搬送を許可する判断が行われる。図１４に示す例では、記録紙Ｒ２とＲ３との間に仕切り用紙Ｃ１が挿入されるので、仕切り用紙Ｃ１の次の記録紙Ｒ３の搬送を許可する判断が行われる。時間ｔａ５においては、２部目の記録物の第１枚目の記録紙Ｒ１が第１給紙手段起点ａをスタートして再び画像形成が開始される。
【０１１４】
前記の後処理工程において、各記録紙Ｒの搬送間隔は、通常は記録紙搬送の基本時間間隔Ｌ１である。しかしながら、記録紙Ｒｎと記録紙Ｒｎ＋１の間に仕切り用紙Ｃｉを挿入する場合には、基本時間間隔Ｌ１に遅延時間Ｌ２（ディレーＤＢ）を加えた時間間隔Ｌ３が記録紙ＲｎとＲｎ−１の間に設けられる。
【０１１５】
このように、各記録紙の搬送タイミング間隔で仕切り用紙Ｃｎを挿入する場合に比べて間隔を広くすることによって、画像形成装置２０２における記録紙Ｒの搬送速度に対して、フィニッシャー２０３内における記録紙Ｒの搬送速度を上げることなく、後処理を行うことが可能になって、記録紙Ｒを安定して搬送することができる。
【０１１６】
なお、記録紙間隔を広くしないで、記録紙間に用紙を挿入する場合には、記録紙Ｒと用紙の干渉を避けるために、フィニッシャー２０３内における記録紙Ｒの搬送速度を倍に上げる必要がある。このような記録紙Ｒの搬送速度を上げると、その搬送過程途中における変更により、搬送が不安定になり、搬送不良、紙詰まり等が起きやすくなる。
【０１１７】
このように、記録紙間の間隔を広くする制御は、第１給紙手段１５Ａ、１５Ｂ、１５Ｃの作動時間を時間間隔Ｌ２だけ遅延させることによって実行される。遅延時間Ｌ２は基本時間間隔Ｌｉに等しく設定することが制御上望ましい。
【０１１８】
前記のタイムチャートにおいて、仕切り用紙Ｃ１と裏カバーＵＣ１の給紙の開始はそれぞれ記録紙Ｒ２、Ｒ３が第１搬送手段起点ｃで検知された信号に基づいて実行される。ディレーＤＣ、ディレーＤＤはこれらの検知信号を受けてから、搬送を開始するまでの時間を示している。
【０１１９】
図１４における第１搬送手段起点ｃはフィニッシャー２０３の記録紙搬入口に設けたセンサＳ３の記録紙先端検知時間であるが、画像形成装置２０２の記録紙排紙口に新たなセンサを設け、このセンサによる記録紙先端検知を第１搬送起点としてもよい。
【０１２０】
続いて、図１４における第１給紙手段１５に関連した制御、即ち第１給紙制御を行う制御及び第１給紙に基づいて行われる他の制御について、図１５〜図１７により説明する。図１５〜図１７は複合機２００における第１給紙の制御例を示すフローチャート（その１〜３）である。図１５はｌ枚目の記録紙Ｒについての第１給紙の制御例、図１６はｎ枚目の記録紙Ｒについての第１給紙の制御例、及び、図１７は最終枚の記録紙Ｒについての第１給紙の制御例を示している。
【０１２１】
この例では、図１４から明らかなように、第１給紙制御は１枚目の記録紙Ｒの給紙時と仕切り用紙Ｋの挿入も含めた中間のｎ枚目の記録紙Ｒの給紙時と最終枚の記録紙Ｒの給紙との間でそれぞれ異なっている。従って、フローチャートも記録紙Ｒ、用紙Ｋの搬送行程におけるこれらの特徴的な各段階に分けて説明する。
【０１２２】
図１５に示すフローチャートのステップＣ１で第１給紙タイミングか否かが判別される。この際に複写開始の釦操作あるいは通信回線からの画像形成要求があることで、第１給紙タイミングであるか否かが判別される。第１給紙タイミングではない場合には第１給紙に係る制御を終了する。
【０１２３】
第１給紙タイミングである場合には、ステップＣ２に移行して記録紙Ｒの画像形成枚数を設定したカウンタ値がロードされる。その後、ステップＣ３で１枚目を画像形成するか否かを判別する。１枚目を画像形成する場合にはステップＣ４に移行して、表カバーを取り付ける画像形成モードが設定されているか否かが判別される。表カバーを取り付ける画像形成モードが設定されている場合には、ステップＣ５に移行して表カバー有無が判別される。表カバーが有る場合には、図１４に示した第１給紙をスタートすると共に、第２搬送手段１１４に対してステップＣ６で表カバーの給紙指令が出力される。そして、ステップＣ７で１枚目の第１給紙がなされると、ステップＣ８で給紙枚数カウンタがインクリメント（＋１）される。
【０１２４】
なお、ステップＣ４で表カバーを取り付けないモードが設定されている場合には、ステップＣ９に移行して１枚目の第１給紙をスタートし、ステップＣ１０で給紙枚数カウンタをインクリメント（＋１）して終了する。
【０１２５】
表カバーを取り付けるモードが設定されていて、ステップＣ５で用紙がない場合には、ステップＣ１１で停止指令が出力されて異常終了する。この停止指令は、以降の画像形成行程の実行を停止する指令信号である。後のフローチャートにおいて、仕切り用紙Ｋの有無のチェック結果、あるいは、裏カバーの有無のチェックにおいて、用紙が無い場合の処理としての停止処理も同様にして、チェック以降の画像形成行程が制御装置１９によって停止される。この際の停止処理では、用紙がないことが検知された後に搬送が予定されている記録紙Ｒの送り出し、及び、搬送が禁止されるものである。
【０１２６】
図１５に示したフローチャートのステップＣ３で１枚目の画像形成ではない場合、つまり、２以上のｎ枚目の記録紙Ｒの給紙をする場合には、図１６に示すフローチャートに移行する。そして、ステップＣ１２でＮ枚目を画像形成するか否かを判別する。Ｎ枚目を画像形成する場合にはステップＣ１３に移行して、仕切り用紙Ｋを記録紙間に挿入する画像形成モードが指定されているか否かが判別される。仕切り用紙Ｋを挿入する画像形成モードが指定されている場合には、ステップＣ１６に移行して仕切り待ちフラグがセットされているか否かが判別される。ここで、仕切り待ちフラグは図１４における遅延時間Ｌ２だけ第１給紙を遅延させる識別子である。この遅延時間Ｌ２は記録紙基本時間間隔Ｌ１に等しく設定している。
【０１２７】
この仕切り待ちフラグがセットされている場合には、ステップＣ１７に移行して１枚目の記録紙Ｒの第１給紙が仕切待ち時間だけ遅延され、図１４に示した第１給紙をスタートすると共に、Ｎ枚目の第１給紙がなされる。その後、ステップＣ１８で給紙枚数カウンタがインクリメント（＋１）される。
【０１２８】
上述のステップＣ１６で仕切り待ちフラグがセットされていない場合には、ステップＣ１９に移行して仕切り用紙Ｋが有るか否かが判別される。仕切り用紙Ｋが有る場合には、ステップＣ２０に移行して仕切待ちフラグをセットして終了する。この仕切り待ちフラグのセットによって、次の第１給紙のタイミングが遅延されて仕切り用紙Ｋのための記録紙間の間隔が空けられる。なお、ステップＣ１９で仕切り用紙Ｋが無い場合には、ステップＣ２１で仕切り用紙無し停止指令が出力されて異常終了する。
【０１２９】
図１６に示したフローチャートのステップＣ１２でＮ枚目の画像形成ではない場合、つまり、最終枚目の記録紙Ｒの給紙をする場合には、図１７に示すフローチャートに移行する。そして、ステップＣ２２でＮ枚目を画像形成するか否かを判別する。Ｎ枚目を画像形成する場合にはステップＣ２３に移行して、仕切り用紙Ｋを記録紙間に挿入する画像形成モードが指定されているか否かが判別される。仕切り用紙Ｋを挿入する画像形成モードが指定されている場合には、ステップＣ２６に移行して仕切り待ちフラグがセットされているか否かが判別される。この仕切り待ちフラグがセットされている場合には、ステップＣ２７に移行してＮ−１枚目の記録紙Ｒの第１給紙が仕切待ち時間だけ遅延され、図１４に示した第１給紙をスタートすると共に、Ｎ−１枚目の第１給紙がなされる。その後、ステップＣ２８で給紙枚数カウンタがインクリメント（＋１）される。
【０１３０】
上述のステップＣ２６で仕切待ちフラグがセットされていない場合には、ステップＣ２９に移行して仕切り用紙Ｋが有るか否かが判別される。仕切り用紙Ｋが有る場合には、ステップＣ３０に移行して仕切待ちフラグをセットして終了する。この仕切り待ちフラグのセットによって、次の第１給紙のタイミングが遅延されて仕切り用紙Ｋのための記録紙間の間隔が空けられる。なお、ステップＣ２９で仕切り用紙Ｋが無い場合には、ステップＣ３１で仕切り用紙無し停止指令が出力されて異常終了する。
【０１３１】
続いて、記録紙Ｒの本体排紙時の制御例を説明する。図１８は複合機２００における本体排紙時の制御例を示すフローチャートである。この例でフィニッシャー２０３の記録紙搬入口に配置された記録紙センサＳ３から得られる記録紙検知信号に基づいて本体排紙制御が行われるものである。記録紙センサＳ３の記録紙検知信号に基づいて行われる本体排紙制御では、図１４に示したように時間ｔｃ１における仕切り用紙Ｃ１の給紙指令と時間ｔｃ２における裏カバーＵＣ１の給紙指令とが発行される。
【０１３２】
つまり、図１８に示すフローチャートのステップＤ１で記録紙Ｒの本体排紙タイミングが判別される。この際に画像形成装置２０２からフィニッシャー２０３へ搬送される記録紙Ｒが検出されるか否かによって、本体排紙タイミングであるか否かが判別される。本体排紙タイミングではない場合には記録紙Ｒの本体排紙制御を終了する。
【０１３３】
従って、ステップＤ１で記録紙センサＳ３から得られる記録紙検知信号に基づいて本体排紙タイミングである場合には、ステップＤ２に移行して記録紙Ｒの排紙枚数カウンタの値がロードされる。その後、ステップＤ３で記録紙ＲのＮ−１枚目が画像形成装置２０２からフィニッシャー２０３へ排紙されたか否かを判別する。
【０１３４】
そのＮ−１枚目が画像形成装置２０２からフィニッシャー２０３へ排紙された場合には、ステップＤ４に移行して仕切り用紙Ｋを記録紙間に挿入する画像形成モードが指定されているか否かが判別される。仕切り用紙Ｋを挿入する画像形成モードが指定されている場合には、ステップＤ５に移行して仕切り給紙指令が発行される。この仕切り給紙指令によって仕切り待ちフラグがセットされる。仕切り用紙Ｋを挿入する画像形成モードが指定されていない場合には本体排紙制御を終了する。
【０１３５】
また、ステップＤ３でＮ−１枚目が画像形成装置２０２からフィニッシャー２０３へ排紙された場合には、ステップＤ６で記録紙Ｒが最終枚目であるか否かを判別する。記録紙Ｒが最終枚目で無い場合にはステップＤ３に戻って最終枚目を検出する。ステップＤ６で記録紙Ｒが最終枚目である場合には、ステップＤ７に移行して裏カバーを取り付ける画像形成モードが設定されているか否かが判別される。裏カバーを取り付ける画像形成モードが設定されている場合には、ステップＤ８に移行して裏カバー供給指令が発行される。裏カバーを取り付ける画像形成モードが設定されていない場合には、本体排紙制御を終了する。これにより、フィニッシャー２０３の記録紙搬入口に配置された記録紙センサＳ３に基づく本体排紙制御を行うことができる。
【０１３６】
続いて、記録紙Ｒへの用紙挿入制御例について説明をする。図１９は複合機２００におけるサイズ別の用紙挿入制御例を示すフローチャートである。この例では、用紙収納手段２１に載置された用紙のサイズが検出され、その用紙のサイズが記録紙Ｒに適合しているか否かが判断され、その判断に基づいた用紙の挿入制御が行われるものである。
【０１３７】
これを前提にして、図１９に示すフローチャートのステップＥ１でジョブの開始要求が有ったか否かが判断される。一定時間待ってジョブの開始要求が無かった場合には制御を終了する。ステップＥ１でジョブの開始要求が有った場合には、ステップＥ２に移行して挿入モードか否かが判断される。ステップＥ２で挿入モードが設定された場合にはステップＥ３に移行して記録紙Ｒへ挿入する用紙のサイズが適切であるか否かが判別される。この際に用紙収納手段２１に載置された用紙のサイズが検出され、その用紙のサイズと記録紙Ｒの大きさとが一致する場合は適合していると判断される。
【０１３８】
ステップＥ３で記録紙Ｒの大きさに適したサイズの用紙が無い場合にはステップＥ４に移行する。ステップＥ４では、例えば、記録紙ＲがＡ３サイズの場合に対してＢ４サイズの用紙がセットされている場合には、「Ａ３のカバー用紙をセットしてください」というような警告が警告表示手段２１７により表示される。
【０１３９】
また、ステップＥ３で記録紙Ｒの大きさに適したサイズの用紙が有る場合にはステップＥ５に移行する。ステップＥ５では記録紙Ｒへ挿入する用紙の種別が適切であるか否かが判別される。この際に用紙収納手段２１に載置された用紙の種別が予め設定された種別を一致するかが比較され、その用紙の種別と予め設定された用紙の種とが一致する場合は適合していると判断される。
【０１４０】
この例では、用紙の種別の適否に関しては、例えば紙厚に関する判断である。用紙収納手段２１には用紙の厚さを検知する検知手段か設けられ、その検知手段の検知結果と操作者が設定した紙厚とを比較する判断が行われる。従って、記録紙Ｒへ挿入する用紙の種別が適切である場合にはステップＥ６に移行して用紙の挿入制御に係るジョブが開始される。
【０１４１】
なお、ステップＥ５で用紙の種別が適切で無い場合にはステップＥ７に移行する。ステップＥ７では、例えば、「厚紙のカバー用紙をセットしてください」のように用紙をセットし直す警告が表示される。その後、用紙の挿入制御を終了する。このように、用紙サイズ及び種別が適合しないものである場合には警告表示が行われる。従って、用紙のサイズが記録紙Ｒに適合しているか否かの判断に基づいた用紙の挿入制御を行うことができる。
【０１４２】
続いて、用紙種別を登録モードに設定した制御例について説明をする。図２０は複合機２００における用紙種別の登録モードにおける制御例を示すフローチャートである。この例では、用紙収納手段２１が複数設けられ、種別の異なる用紙を積載し用いる場合を想定する。このような複合機２００においては、特定の用紙収納手段２１に積載される用紙の種別が登録モードとしてフィニッシャー２０３内のメモリに登録され、この登録モードを選択することにより、特定の用紙給紙手段２１から特定の種別の用紙を受けた後処理が行われる。
【０１４３】
これを前提にして、図２０に示すフローチャートのステップＦ１でジョブの開始要求が有ったか否かが判断される。一定時間待ってジョブの開始要求が無かった場合には制御を終了する。ステップＦ１でジョブの開始要求が有った場合には、ステップＦ２に移行して挿入モードか否かが判断される。ステップＦ２で挿入モードが設定された場合にはステップＦ３に移行して記録紙Ｒへ挿入する用紙に関して予め登録された用紙を使用するか否かが判別される。この際に用紙収納手段２１に載置された用紙が予め登録されたものか否かが検出され、その用紙が登録されたものと一致する場合はそれを使用すると判断される。ステップＦ３で予め登録された用紙を使用しない場合には用紙種別に係る登録モードに基づく制御を終了する。
【０１４４】
ステップＦ３で予め登録された用紙を使用する場合にはステップＦ４に移行してその登録された用紙が有るか否かを判別する。登録された用紙が有る場合にはステップＦ５に移行して用紙の挿入制御に係るジョブが開始される。ステップＦ４で予め登録された用紙が無い場合にはステップＦ６に移行する。ステップＦ６では、例えば、記録紙がＢ５サイズの場合に対して予め登録されたＢ５サイズの用紙がセットされていない場合には、「Ｂ５サイズのカバー用紙をセットしてください」というような警告が警告表示手段２１７により表示される。その後、用紙種別に係る登録モードに基づく制御を終了する。これにより、特定の用紙給紙手段２１から特定の種別の用紙を受けた後処理を行うことができる。
【０１４５】
続いて、表裏カバー又は仕切り用紙Ｋの送り出し制御例について説明をする。図２１は複写機２００における表裏カバーの送り出し制御例を示すフローチャートである。この例では、表裏カバー又は仕切り用紙Ｋを付けるモードが設定され、上記第１給紙によって出力される記録紙Ｒに対して表カバー給紙指令、仕切り給紙指令又は裏カバー給紙指令が発生されることを前提とする。
【０１４６】
これを前提にして、図２１に示すフローチャートのステップＧ１で給紙タイミングか否かが判別される。この際に複写開始の釦操作あるいは通信回線からの画像形成要求があることで、給紙タイミングであるか否かが判別される。給紙タイミングではない場合には表カバーに係る送り出し制御を終了する。従って、ステップＧ１で給紙タイミングである場合には、ステップＧ２に移行して、表カバーの給紙指令が有るか否かが検出される。ここで、図１４に示した第１給紙手段起点ａにおける時間ｔａ１において、表カバー給紙指令が発行されている。
【０１４７】
従って、表カバーの給紙指令が有る場合にはステップＧ３に移行して表カバーの用紙が有るか否かが判別される。表カバーの用紙が有る場合にはステップＧ４に移行して表カバーが用紙収納手段２１から送り出される。この表カバーの用紙が無い場合にはステップＧ５に移行して表カバー無しの停止指令が発生され、その後、表カバーに係る送り出し制御を終了する。
【０１４８】
また、ステップＧ２で表カバーの給紙指令がない場合にはステップＧ４に移行して仕切り供給指令が有るか否かが判別される。ここで、図１４に示した第１搬送手段起点ｊにおける時間ｔｃ１で仕切り給紙指令が発行される。従って、仕切り供給指令が有る場合にはステップＧ７に移行して仕切り用紙Ｋが有るか否かが判別される。仕切り用紙Ｋが有る場合にはステップＧ８に移行して仕切り用紙Ｋが用紙収納手段２１から送り出される。この仕切り用紙Ｋが無い場合にはステップＧ９に移行して仕切り用紙無しの停止指令が発生され、その後、仕切り用紙Ｋに係る送り出し制御を終了する。
【０１４９】
更に、ステップＧ６で仕切り給紙指令が無い場合には、ステップＧ１０に移行して、裏カバーの給紙指令が有るか否かが検出される。ここで、図１４に示した第１搬送手段起点ｊにおける時間ｔｄ３において、裏カバー給紙指令が発行される。従って、裏カバーの給紙指令が有る場合にはステップＧ１１に移行して裏カバーの用紙が有るか否かが判別される。裏カバーの用紙が有る場合にはステップＧ１２に移行して裏カバーが用紙収納手段２１から送り出される。この裏カバーの用紙が無い場合にはステップＧ１３に移行して裏カバー無しの停止指令が発生され、その後、裏カバーに係る送り出し制御を終了する。
【０１５０】
これにより、表カバー給紙指令、仕切り給紙指令又は裏カバー給紙指令に基づいて記録紙Ｒに表裏カバー又は仕切り用紙Ｋを取り付けることができる。従って、画像情報源の任意の画像情報に基づいて２台の記録装置＃１、＃２により個々の記録紙Ｒに、並列に白黒画像とカラー画像とを形成処理し、その後、フィニッシャー２０３で搬送手段８により一箇所に集め、画像形成後の白黒の原稿とカラーの原稿とが入り混じった記録紙Ｒを再現性良く小冊子にまとめ上げることができる。
【０１５１】
（３）第２の実施例
図２２は第２の実施例としての複合機３００の構成例を示す概念図である。図２２に示す複合機３００はカラー画像形成用の記録装置＃１をフィニッシャー２０３側に配置したものである。つまり、第１の実施例のインクジェット方式の記録装置＃１を分離してフィニッシャー２０３上に取り付けたものである。このように構成すると、既存の電子写真方式の複合機の内部構成の設計変更から取り組むことなく、白黒の原稿とカラーの原稿とが入り混じった記録紙Ｒを再現性良く小冊子にまとめ上げる複合機３００を構成することができる。
【０１５２】
図２２に示す複合機３００は、画像メモリ１、原稿読取り手段２及び記録装置＃２を有した画像形成装置２０２’を備えており、その画像メモリ１には上述した原稿読取り手段２、ファクシミリ手段３及びインターフェース手段４が接続され、ＦＡＸ受信時の受信画像データＤ２、外部のコンピュータからの加工画像データＤ３及び原稿を読取って得た原稿画像データＤ１が一時記憶される。記録装置＃２には電子写真方式の白黒画像形成装置が使用される。
【０１５３】
この画像形成装置２０２’には隣接してフィニッシャー２０３が設けられ、このフィニッシャー２０３にはインクジェット方式のカラー画像用の記録装置＃１が取り付けられる。記録装置＃１は記録装置＃２と同期をとるために、第１の実施例で示した制御装置１９と記録装置＃１内に設けられる制御装置との間で通信処理を行うようにするとよい。また、記録装置＃１の排紙口と記録装置＃２の排紙口とを合流するように搬送手段を構成するとよい。
【０１５４】
この例では、記録装置＃１によって記録用紙にカラー画像が形成され、記録装置＃２によって記録用紙に白黒画像が形成され、その後、フィニッシャー２０３によって記録装置＃１によるカラー画像記録紙Ｒｃと、記録装置＃２による白黒画像記録紙Ｒbkとがまとめられるものである。
【０１５５】
これにより、既存の電子写真方式の複合機の内部構成に大幅な設計変更を加えることなく、白黒の原稿とカラーの原稿とが入り混じった画像情報源に基づいて画像形成したカラー画像記録紙Ｒｃと、白黒画像記録紙Ｒbkとを再現性良く小冊子にまとめた複写物を形成することができる。
【０１５６】
【発明の効果】
以上説明したように、本発明に係る第１の複合記録装置及び複合記録処理方法によれば、指定された一方の画像形成手段（系）で形成される第１の画像ページに対する他方の画像形成手段（系）で形成される第２の画像ページの挿入位置を認識して、第１の画像ページの画像形成開始タイミングに対する第２の画像ページの画像形成開始タイミングを演算し、ここに演算された画像形成開始タイミングに基づいて二以上の画像形成系の各々で並列に画像形成し、画像形成された後の二以上の記録紙を一箇所に集めて綴じ処理を施すようになされる。
この構成によって、画像形成後の二以上の記録紙を予め指定した順序に高速にまとめ上げたり、これらの記録紙をまとめた後に一端を綴じたり、綴じ上がった記録紙に表紙や背表紙を取り付けたり、また、画像形成後の二以上の記録紙を読み開き型に折り込んでまとめたり、これらの読み開き型の記録紙の一端を綴じた後に、表紙や背表紙を取り付けたりすることができる。
【０１５７】
本発明に係る第２の複合記録装置及び複合記録処理方法によれば、画像形成後の記録紙に綴じ処理を施す場合に、一方の画像形成系から綴じ処理へ移行される白黒画像形成後の記録紙を搬送系に設けられた待機部で一時待機させて、他方の画像形成系から出力されるカラー画像形成後の記録紙と当該白黒画像形成後の記録紙との進捗状況を揃えるようになされる。
この構成によって、白黒画像が形成された記録紙とカラー画像が形成された記録紙とを予め指定した順番通りに、かつ、高速に製本することができる。従って、白黒の原稿とカラーの原稿とが入り交じった複合原稿画像情報から１つの小冊子などの複写物を再現性良く作成することができる。
【図面の簡単な説明】
【図１】本発明の実施形態としての複合記録装置１００の構成例を示すブロック図である。
【図２】複合記録装置１００における記録処理例（その１）を示すフローチャートである。
【図３】複合記録装置１００における記録処理例（その２）を示すフローチャートである。
【図４】第１の実施例としての複合機２００の構成例を示す概念図である。
【図５】複合機２００における画像情報、白黒画像記録紙及びカラー画像記録紙のフロー例を示す概念図である。
【図６】第１の実施例としての複合機２００の内部構成例を示す概念図である。
【図７】フィニッシャー２０３の内部構成例を示す概念図である。
【図８】図６及び図７に示した複合機２００のシステム制御系の構成例を示すブロック図である。
【図９】複合機２００における記録紙Ｒ及び用紙Ｋのフロー例を示すブロック図である。
【図１０】複合機２００における操作パネル９０の構成例を示す概念図である。
【図１１】複合機２００における表裏カバー及び仕切り用紙等の挿入位置の指定例を示すフローチャートである。
【図１２】画像形成装置２０２におけるインターシートのモード表示例を示す状態遷移図である。
【図１３】表示設定部４０におけるインターシートのモード表示例を示すイメージ図である。
【図１４】図６〜図８に示した複合機２００の各構成部の動作タイムチャートである。
【図１５】複合機２００における第１給紙の制御例（その１）を示すフローチャートである。
【図１６】複合機２００における第１給紙の制御例（その２）を示すフローチャートである。
【図１７】複合機２００における第１給紙の制御例（その３）を示すフローチャートである。
【図１８】複合機２００における本体排紙時の制御例を示すフローチャートである。
【図１９】複合機２００におけるサイズ別の用紙挿入制御例を示すフローチャートである。
【図２０】複合機２００における用紙種別の登録モードにおける制御例を示すフローチャートである。
【図２１】複写機２００における表裏カバー又は仕切り用紙の送り出し制御例を示すフローチャートである。
【図２２】第２の実施例としての複合機３００の構成例を示す概念図である。
【符号の説明】
１・・・画像メモリ（記憶手段）、２・・・原稿読取り手段、３・・・ファクシミリ手段、４・・・インターフェース手段、５・・・画像分離手段、６・・・用紙供給手段、７・・・搬送路切換手段、８・・・搬送手段、９・・・加工処理部、１０・・・後処理手段、１９・・・制御装置（制御手段）、２０・・・指定手段、＃ｉ（ｉ＝１〜ｎ）・・・画像形成手段（記録装置）、１００・・・複合記録装置、２０１・・・給紙ユニット（用紙供給手段）、２０２、２０２’・・・画像形成装置、２０３・・・フィニッシャー（後処理手段）、２００，３００・・・複合機
【図１】
0004026990.tif 000002
【図２】
0004026990.tif 000003
【図３】
0004026990.tif 000004
【図４】
0004026990.tif 000005
【図５】
0004026990.tif 000006
【図６】
0004026990.tif 000007
【図７】
0004026990.tif 000008
【図８】
0004026990.tif 000009
【図９】
0004026990.tif 000010
【図１０】
0004026990.tif 000011
【図１１】
0004026990.tif 000012
【図１２】
0004026990.tif 000013
【図１３】
0004026990.tif 000014
【図１４】
0004026990.tif 000015
【図１５】
0004026990.tif 000016
【図１６】
0004026990.tif 000017
【図１７】
0004026990.tif 000018
【図１８】
0004026990.tif 000019
【図１９】
0004026990.tif 000020
【図２０】
0004026990.tif 000021
【図２１】
0004026990.tif 000022
【図２２】
0004026990.tif 000023